(57)【要約】【課題】一回の洗濯作業工程で分け洗いを可能とし、きつい汚れの洗濯物と軽い汚れの洗濯物とを分離して分け洗いができるとともに、汚れのきつい洗濯物の洗浄力を高めると共に、使い勝手を向上する。【解決手段】内槽４内に収容する洗濯物８ａ、８ｂを分離して収納する分け洗い収納体１０を設け、前記分け洗い収納体１０を洗濯物８ｂとともに内槽４より取り出し可能に構成することにより、洗浄能力を向上することができる。また、洗濯物８ｂの出し入れが簡単で使い勝手を向上させることができる。【選択図】図１
2006068051.tif 000002
【特許請求の範囲】
【請求項１】
外槽内に回転自在に支持された洗濯物を収納する内槽と、前記内槽内に設けられた洗濯物を撹拌する撹拌手段と、前記内槽内に収容する洗濯物を分離して収納する分け洗い収納体とを具備し、前記分け洗い収納体により、前記内槽内を前記撹拌手段を有する第１の洗浄室と、分け洗い収納体で構成される第２の洗浄室とに分離して洗浄可能に構成し、前記分け洗い収納体を洗濯物とともに前記内槽より取り出し可能に構成した洗濯機。
【請求項２】
分け洗い収納体は、上部開放の通水性を有したカゴ状に構成し、第１の洗浄室の上方に着自在に配設した請求項１記載の洗濯機。
【請求項３】
分け洗い収納体は、脱水時における内槽の回転方向に取着されるようにした請求項２記載の洗濯機。
【請求項４】
内槽と分け洗い収納体の投入口との間に開口部を形成した請求項１〜３のいずれか１項に記載の洗濯機。
【請求項５】
第１の洗浄室の洗浄液を第２の洗浄室に供給する循環手段を設けた請求項１記載の洗濯機。
【請求項６】
第１の洗浄室で洗浄する第１の洗浄工程の初期に所定時間循環手段を動作させ、第２の洗浄室の洗濯物に洗浄液を供給するようにした請求項５記載の洗濯機。
【請求項７】
撹拌手段と内槽、及び循環手段を動作させて第１の洗浄室と第２の洗浄室で同時に洗浄するようにした請求項５記載の洗濯機。
【請求項８】
撹拌手段と内槽を交互に動作させるようにした請求項７記載の洗濯機。
【発明の詳細な説明】
【技術分野】
【０００１】
本発明は、一回の洗濯作業工程で汚れの強さ、衣類の種類等により洗濯物を分けて洗うことができる洗濯機に関するものである。
【背景技術】
【０００２】
従来、この種の洗濯機は、十分に機械力を加えて洗いたい汚れのきつい洗濯物と、機械力を加えて洗いたくない比較的軽い汚れでデリケートな生地の洗濯物を洗濯する場合に、洗濯槽である内槽に仕切体を設けてこれらの洗濯物を一度に分け洗いが行える洗濯機が考えられていた（例えば、特許文献１参照）。この公報に記載された洗濯機は、図９に示すように、洗濯兼脱水槽である内槽５０と、この内槽５０を内置する外槽５１と、内槽５０を回転駆動させる駆動装置５２と伝達機構５３と減速機構５４を有しており、前記内槽５０の底面に設けたパルセータ５５を回転自在に駆動する。パルセータ５５の裏面の下側羽根５６の外周に形成したポンプ室５７から内槽５０の側壁に循環水路５８を形成し、循環水路５８の開口部を内槽５０の中心方向に向けて吐出口５９を配設している。
【０００３】
パルセータ５５の上方に前記パルセータ５５を覆うように仕切体６０を着脱自在に配設している。仕切体６０とパルセータ５５の間に洗濯物６１を収納するとともに、仕切体６０の上部に洗濯物６２を収納する。前記洗濯物６１は十分に機械力を加えて洗いたい汚れのきつい洗濯物を収納し、洗濯物６２は機械力を加えて洗いたくない比較的軽い汚れでデリケートな生地の洗濯物を収納して洗濯するようになっている。
【特許文献１】特開平９−９４３７６号公報
【発明の開示】
【発明が解決しようとする課題】
【０００４】
しかしながら、前記従来の構成では、仕切体６０とパルセータ５５の間に十分に機械力を加えて洗いたい運動用の靴下、作業服等の汚れのきつい洗濯物６１を収納し、仕切体６０の上部に機械力を加えて洗いたくないハンカチ、カッターシャツ、ブラウス、下着等の比較的軽い汚れでデリケートな生地の洗濯物６２を収納して洗浄するようになっている。洗濯を開始する際に、前記内槽５０に汚れのきつい洗濯物６１を投入した後、仕切板６０を配設し汚れの軽いデリケートな生地の洗濯物６２を順番に投入、配設する必要がある。
【０００５】
洗濯物の投入の際に仕切板６０を配設し汚れの軽い洗濯物６２を投入中、或いは投入終了後にきつい汚れの洗濯物６１が残された時、仕切板６０の上部に投入した軽い汚れの洗濯物６２、及び仕切板６０を取り出した後、前記きつい汚れの洗濯物６１を追加投入する。その後、仕切板６０の配設と軽い汚れの洗濯物６２を再び投入する必要があり、使い勝手が悪いという問題があった。
【０００６】
また、洗濯行程を実行中にきつい汚れの洗濯物６１を追加投入する場合は、洗濯物６１、６２に洗浄液が浸透しているため洗浄液が床面にしたたり落ちることで、床面の掃除を必要としたり、洗浄液が不足して十分な洗浄性能が確保できなかったり、洗剤、及び洗濯水の追加が必要であった。
【０００７】
また、洗濯行程を終了した後、軽い汚れの洗濯物６２を取り出し、仕切板６０の取り外し、きつい汚れの洗濯物６１を順番に取り出す必要があり、取り出しに時間がかかり使い勝手が悪いという問題があった。
【０００８】
また、仕切板の上部に収納される軽い汚れの洗濯物６２には、パルセータ５５の回転時のみ洗浄液が吐出口５９から供給される構成となっているため、軽い汚れの洗濯物６２に付与される洗浄作用力がパルセータの動作時間に依存されるため単独で設定することができなかった。
【０００９】
本発明は、前記従来の課題を解決するもので、一回の洗濯作業工程で分け洗いを可能とし、汚れのきつい洗濯物６１、及びデリケートな衣類である洗濯物６２の洗浄力を高めると共に、洗濯物６１、６２の投入、及び取り出しを容易にすることで、使い勝手の向上を図った洗濯機を提供することを目的とする。
【課題を解決するための手段】
【００１０】
本発明は、前記従来の課題を解決するために、外槽内に回転自在に支持された洗濯物を収納する内槽と、前記内槽内に設けられた洗濯物を撹拌する撹拌手段と、前記内槽内に収容する洗濯物を分離して収納する分け洗い収納体とを具備し、前記分け洗い収納体により、前記内槽内を前記撹拌手段を有する第１の洗浄室と、分け洗い収納体で構成される第２の洗浄室とに分離して洗浄可能に構成し、前記分け洗い収納体を洗濯物とともに、前記内槽より取り出し可能に構成したものである。
【００１１】
これによって、きつい汚れの洗濯物と軽い汚れの洗濯物とを簡単に分離して分け洗いができるとともに、汚れのきつい洗濯物の洗浄力を高めることができるとともに、デリケートな洗濯物を短時間に高い洗浄力を得ることができる。
【００１２】
また、分け洗い収納体は、上部開放の通水性のあるカゴ状で構成し、第１の洗浄室の上方に着脱自在に配設したものである。
【００１３】
これによって、洗濯物の取り扱いが極めて簡単で使い勝手を向上させることができる。
【発明の効果】
【００１４】
本発明の洗濯機は、きつい汚れの洗濯物と軽い汚れの洗濯物、及びデリケートな衣類を洗濯する場合の課題を解決するもので、きつい汚れの洗濯物と軽い汚れの洗濯物とを簡単に分離して分け洗いができ、第１の洗浄室で洗浄される洗濯物の汚れの度合いに応じた撹拌手段の機械力（運転強度、洗浄時間等）を最適化して洗浄できるので洗浄力を高めることができるとともに、デリケートな衣類は第２の洗浄室である分け洗い収納体に高濃度の洗浄液が供給されるため必要以上の機械力を与えることなく洗浄力を高めることができる。
【００１５】
また、洗濯物を収納するカゴ状の分け洗い収納体を内槽に着脱自在に配設することで、洗濯物の投入、および取り出しが極めて簡単で使い勝手を向上させることができる。
【発明を実施するための最良の形態】
【００１６】
第１の発明は、外槽内に回転自在に支持された洗濯物を収納する内槽と、前記内槽内に設けられた洗濯物を撹拌する撹拌手段と、前記内槽内に収容する洗濯物を分離して収納する分け洗い収納体とを具備し、前記分け洗い収納体により、前記内槽内を前記撹拌手段を有する第１の洗浄室と、分け洗い収納体で構成される第２の洗浄室とに分離して洗浄可能に構成し、前記分け洗い収納体を洗濯物とともに、前記内槽より取り出し可能に構成したことにより、第１の洗浄室に収容した汚れのきつい洗濯物は撹拌手段により機械力が集中的に与えられて洗浄力を高めることができるとともに、第２の洗浄室に収容された洗濯物は、分け洗い収納体によって第１の洗浄室と分離されているため、内槽に装備された撹拌手段に接触しないので、必要以上の機械力が洗濯物に与えられないので生地を傷めることがなく、きつい汚れの洗濯物と軽い汚れの洗濯物とを簡単に分離して分け洗いができる。また、洗濯終了後、軽い汚れの洗濯物を収納した状態で分け洗い収納体を取り外すことができるので取り出し作業が短時間で済み使い勝手が向上する。
【００１７】
第２の発明は、分け洗い収納体は、上部開放の通水性を有したカゴ状に構成し、第１の洗浄室の上方に着脱自在に配設したことにより、前記分け洗い収納体の上部開放部から洗濯物の出し入れが可能となり作業が極めて簡単であるとともに、洗浄液、すすぎ水を分け洗い収納体に供給すると洗浄液、すすぎ水は洗濯物を通過後、第１の洗浄室に供給されるため、同一槽内で第１の洗浄室と第２の洗浄室とに分離して分け洗いが可能となる。また、分け洗い収納体は、内槽に着脱自在に取り付けられたことにより、洗濯物の投入時に分け洗い収納体を内槽から外しておけば第１の洗浄室への洗濯物の出し入れ作業が極めて簡単である。その後、分け洗い収納体に洗濯物を収納したまま前記分け洗い収納体を内槽に配設できる。さらに洗濯終了後に分け洗い収納体に洗濯物を収容したまま内槽から外して洗濯物の干し場まで持ち運ぶことができ、干し作業の手間が軽減される。
【００１８】
第３の発明は、分け洗い収納体は、脱水時における内槽の回転方向に取着されるようにしたことにより、洗濯行程、及びすすぎ行程を終了後、実行する脱水行程において内槽を一方向に高速回転させて洗濯物の水分を脱水する。この時、分け洗い収納体は取り付け体により内槽に締め付けられるので内槽と一体となり高速回転しても振動が極力抑えられ、静音化が実現できる。
【００１９】
第４の発明は、内槽と分け洗い収納体の投入口との間に開口部を形成したことにより、洗濯行程を開始する前、或いは洗濯行程の実行中に、分け洗い収納体が内槽に配設された状態においても、きつい汚れの洗濯物を追加投入する場合に第１の洗浄室に前記開口部から投入することができるので、使い勝手が非常に向上する。また、洗剤液を内槽の外にこぼすことがないので床面の掃除、洗剤と洗濯水の追加を必要としない。
【００２０】
第５の発明は、第１の洗浄室の洗浄液を第２の洗浄室に供給する循環手段を設けたことにより、第１の洗浄室、及び第２の洗浄室の洗濯物が十分に浸透する水量と循環手段で循環するに必要な洗濯水量で洗濯が可能となり、所定の洗剤量を投入しても洗濯液は高濃度の洗剤液となる。前記高濃度洗浄液で第１の洗浄室の洗濯物は撹拌手段で与えられる機械力と、高濃度洗浄液の作用で洗浄力がより高められる。また、第２の洗浄室である分け洗い収納体に高濃度洗浄液を供給して洗浄するため洗浄能力を向上することができるとともに、節水洗濯が実現できる。
【００２１】
第６の発明は、第１の洗浄室で洗浄する第１の洗浄工程の初期に所定時間循環手段を動作させ、第２の洗浄室の洗濯物に洗浄液を供給するようにしたことにより、洗濯行程開始と同時に第２の洗浄室である分け洗い収納体の洗濯物に機械力を与えないで、高濃度洗浄液が作用するため、洗濯物の生地を傷めることがなく、絡み、ねじれもなく、洗浄能力を確保することができる。また、第１の洗浄工程の初期の所定時間以外は循環手段を動作することがないので省エネが図れる。
【００２２】
第７の発明は、撹拌手段と内槽、及び循環手段を動作させ第１の洗浄室と第２の洗浄室で同時に洗浄するようにしたことにより、第１の洗浄室の洗濯物は、高濃度洗浄液の作用と撹拌手段による機械力できつい汚れも洗浄することができる。また、第２の洗浄室に収納される軽い汚れの洗濯物は、高濃度洗浄液の作用と内槽の正逆回転による機械力が付与され洗濯物の汚れを落とすことができる。第２の洗浄室に収納された洗濯物は、内槽の回転と循環手段の動作をさせることで、高濃度洗浄液が洗濯物を通過するように洗浄液が通過して洗浄が行われるので生地を傷めることがない。
【００２３】
第８の発明は、撹拌手段と内槽を交互に動作させるようにしたことにより、第１の洗浄室と第２の洗浄室の洗濯物の汚れに応じた洗浄時間をそれぞれ選定することが可能となる。第１の洗浄室の洗濯物の汚れがきつい場合は、前記撹拌手段の運転による第１の洗浄室の洗浄時間を内槽の回転時間より長く実行することで、汚れの状態に応じた最適な運転時間を設定することができるので高い洗浄能力を実現することができる。
【００２４】
以下、本発明の実施の形態について、図面を参照しながら説明する。なお、この実施の形態によって本発明が限定されものではない。
【００２５】
（実施の形態１）
図１は本発明の第１の実施の形態における洗濯機の縦断面図、図２は同洗濯機の要部平面図、図３は同洗濯機の要部断面図、図４は同洗濯機の取り付け体の要部斜視図、図５は同洗濯機の分け洗い収納体の斜視図、図６は同洗濯機の洗浄工程のシーケンス図を示すものである。
【００２６】
図１から図６において、外槽１は洗濯機の筐体２の内部にサスペンション機構３により弾性的に吊り下げられている。外槽１内には回転中心軸を鉛直方向に有した内槽４を回転自在に支持してあり、上部には開口部５を有する有底状のものである。前記内槽４の周壁には複数の排出口６と、内槽４の上方には流体バランサー７を設けている。内槽４内の底部には洗濯物８ａを撹拌する撹拌手段９を備えている。更に、内槽４の内部上部には洗濯物８ｂを収納する分け洗い収納体１０を配設しており、内槽４に収納する洗濯物８ａ、８ｂを分離するものである。前記分け洗い収納体１０は、上部開放のカゴ状で枠体１０ａと通水性のあるカゴ部１０ｂ、及び前記開放部で形成される投入口１０ｃで構成されている。前記内槽４内で撹拌手段９を有する第１の洗浄室４ａと、分け洗い収納体１０で構成される第２の洗浄室１０ｄとに分離して洗浄可能に構成している。
【００２７】
分け洗い収納体１０は、内槽４に着脱自在に構成されるとともに、脱水時における内槽４の回転方向に取着されるように取り付け体１１を設けている。取り付け体１１は、流体バランサー７の上面から上方に突出した取り付け軸１２と、分け洗い収納体１０の枠体１０ａに設けられた穴部１３によって構成され、取り付け軸１２と穴部１３の嵌合によって取着される。前記取り付け軸１２は上面より首下部分（図４のＡ寸法）に切り込みが形成されており、取り付け軸１２の軸径より短い寸法Ｂとしている。一方、穴部１３は、挿入穴１３ａと嵌合穴１３ｂとで形成される。なお、前記取り付け軸１２と穴部１３の嵌合は複数個所で行うように設けられている。
【００２８】
分け洗い収納体１０を内槽４に取り付ける場合は、取り付け軸１２を挿入穴１３ａに対向させて挿入し、分け洗い収納体１０を回転させて嵌合穴１３ｂに取り付け軸１２の首下部分（図４のＢ寸法）を嵌合させて取り付ける。従って、分け洗い収納体１０は上方への移動もなく、内槽４の回転方向に対して取り付け軸１２は、嵌合穴１３ｂに入り込む方向に移動しようとするため、分け洗い収納体１０は内槽４に固定される。また、分け洗い収納体１０の投入口形状を略半月形状とし、内槽４上部と分け洗い収納体１０の投入口との間に開口部１４を形成させている。
【００２９】
外槽１の下方には駆動手段１５を設け、その回転軸は、中空で二軸構造を成し、洗濯工程、すすぎ工程および脱水工程において駆動手段１５の回転を撹拌手段９、あるいは、内槽４に伝達する。
【００３０】
撹拌手段９を有する第１の洗浄室４ａの洗浄液を第２の洗浄室１０ｄである分け洗い収納体１０に供給する循環手段１６を外槽１の下方に設けており、循環通路１７を通して噴射ノズル１８より分け洗い収納体１０内の洗濯物８ｂを均等に浸透させるように噴霧供給する。
【００３１】
外槽１内には水道栓と連結される給水弁（図示せず）から洗濯水、すすぎ水が供給されるようになっている。洗浄液、及びすすぎ水、脱水中の排水は排水弁１９を開放することにより、排水口２０から筐体２外へ排出される。筐体２の上部には蓋２１が設けられている。
【００３２】
以上のように構成された洗濯機について、以下にその動作、作用を説明する。まず、洗濯工程を始めるにあたり、第１の洗浄室４ａ内に作業服、靴下、ジーンズ等の生地の強度が比較的強く、傷みを気にしないきつい汚れの洗濯物８ａを先に投入する。その後、分け洗い収納体１０を内槽４に取り付ける。この時、第２の洗浄室１０ｄである分け洗い収納体１０にハンカチ、デリケートな衣類、カッターシャツ、ブラウス等の比較的軽い汚れの洗濯物８ｂを既に収納した状態で内槽４に装着してもよい。また、分け洗い収納体１０を内槽４に取り付けた後、軽い汚れの洗濯物を投入してもかまわない。
【００３３】
さらに、分け洗い収納体１０を内槽４に取り付けた状態で、きつい汚れの洗濯物８ａを第１の洗浄室４ａに投入する場合は、開口部１４から投入することができる。いづれにしても第１の洗浄室４ａ、第２の洗浄室１０ｄである分け洗い収納体１０への洗濯物８ａ、８ｂの投入はいつでもできるので使い勝手が非常に良い。
【００３４】
また、外槽１内に所定の洗剤量を予め投入しておく。以上の作業を使用者が洗濯を開始する準備作業として行い洗濯機のスイッチをオンする。
【００３５】
洗濯機を運転させると、給水弁（図示せず）が開となり外槽１内に洗濯水が給水される。前記洗濯水の給水量は、第１の洗浄室４ａ、及び第２の洗浄室１０ｄの洗濯物８ａ、８ｂが十分に浸透する水量と循環手段１６で循環するに必要な洗濯水量を供給する。前記洗剤を溶解するため駆動手段１５を駆動し撹拌手段９を回転させる。これによって高濃度洗浄液が速やかに生成できる。
【００３６】
洗浄工程は、図６に示すように第１の洗浄工程と第２の洗浄工程に分けて実行する。まず、第１の洗浄工程は、撹拌手段９を回転させて第１の洗浄室４ａの洗濯物８ａを高濃度の洗剤液による洗剤の化学作用と撹拌手段９で付与される機械力で洗浄されるため洗浄力が向上する。また、第１の洗浄工程の初期に所定時間のみ循環手段１６を動作させて、第２の洗浄室１０ｄの洗濯物８ｂに高濃度の洗浄液を供給することで高濃度の洗剤液が洗濯物８ｂに浸透し洗剤の化学作用で洗濯物８ｂから汚れ成分を分離させる。前記第１の洗浄工程では、きつい汚れの洗濯物８ａを主体に洗浄を所定時間実行した後、第２の洗浄工程を実行する。
【００３７】
第２の洗浄工程は、第１の洗浄室４ａの洗濯物８ａを撹拌手段９の回転により撹拌して洗浄する。同時に循環手段１６を動作させて第１の洗浄室４ａの洗剤液を第２の洗浄室１０ｄの洗濯物８ｂに噴射して供給する。第２の洗浄室１０ｄに供給された高濃度の洗浄液は、洗濯物８ｂを通過して通水性のあるカゴ部１０ｂから第１の洗浄室４ａに流れこむ。洗濯物８ｂの汚れ成分は、第１の洗浄工程で分離されているので高濃度洗浄液が洗濯物８ｂを通過することで落とされる。本来、第２の洗浄室１０ｄの洗濯物８ｂはハンカチ、デリケートな衣類、カッターシャツ、ブラウス等の比較的軽い汚れであるため、弱い機械力でも汚れを落とすことができる。
【００３８】
このように、撹拌手段９の機械力は第１の洗浄室４ａに収納された洗濯物８ａに集中して与えるとともに、高濃度洗浄液の作用できつい汚れ成分を洗濯物８ａから離れ易くし、洗浄性能を高めることができる。また、第２の洗浄室１０ｄである分け洗い収納体１０の洗濯物８ｂには高濃度洗浄液が作用するため、機械力をほとんど受けない洗浄液の通過洗浄で洗浄性能を向上することができるとともに、洗濯物８ｂのねじれ、絡みが抑えられるので洗濯物の生地を傷めることがほとんどない。
【００３９】
前記動作を所定時間運転して洗浄工程を終了する。前記洗浄工程を終了すると、排水弁１９を開放して洗浄液を外槽１から排出する。その後、内槽４を回転させて洗濯物８ａ、８ｂの高濃度洗浄液を絞り出す。次に、排水弁１９を閉じて給水弁（図示せず）を開いて外槽１内に所定水位まで給水し、駆動手段１５を動作させて撹拌手段９、内槽４、及び循環手段１６を動作させる。これによって洗濯物８ａ、８ｂの洗剤成分をすすぎ水に移行させる。前記すすぎ水を排水し、再度給水を行って前記動作を実施することで洗濯物８ａ、８ｂの洗剤成分を除去してすすぎ行程を終了する。
【００４０】
次に脱水行程を実施する。この脱水行程は、排水弁１９を開放して駆動手段１５により内槽４を高速回転させて洗濯物８ａ、８ｂから脱水する。脱水行程において分け洗い収納体１０は、内槽４の回転方向に取着されるようにしているため内槽４と一体となり振動が極力少なく、低騒音で高速脱水が実現できる。
【００４１】
脱水行程終了後、洗濯物８ａ、８ｂを内槽４から取り出して干し作業を行う。この時、分け洗い収納体１０は、内槽４に着脱自在に取り付けられているため、簡単に内槽４から取り外すことができる。同時に分け洗い収納体１０に洗濯物８ｂを収納したまま内槽４から取り出すことができるので、洗濯物８ｂの取り出し作業が簡単で、そのまま干し場まで持ち運ぶことができ、干し作業の手間が軽減される。
【００４２】
以上のように、本実施の形態においては、外槽１内に回転自在に支持された洗濯物８ａ、８ｂを収納する内槽４と、前記内槽４内に設けられた洗濯物８ａを撹拌する撹拌手段９と、前記内槽４内に収容する洗濯物８ａ、８ｂを分離して収納する分け洗い収納体１０とを具備し、前記分け洗い収納体１０により、前記内槽４内を前記撹拌手段９を有する第１の洗浄室４ａと、分け洗い収納体１０で構成される第２の洗浄室１０ｄとに分離して洗浄可能に構成し、前記分け洗い収納体１０を洗濯物８ｂとともに、前記内槽４より取り出し可能に構成したことにより、第１の洗浄室４ａに収容した汚れのきつい洗濯物８ａは、撹拌手段９により機械力が集中的に与えられるので高い洗浄力を実現することができる。また、第２の洗浄室１０ｄに収容された洗濯物８ｂは、撹拌手段９に接触しないので、必要以上の機械力が洗濯物８ｂに与えられないので生地を傷めることがなく、絡み、ねじれが極力抑えられた洗浄ができる。
【００４３】
また、分け洗い収納体１０は、上部開放の通水性を有したカゴ状に構成し、第１の洗浄室４ａの上方に着脱自在に配設したことにより、洗濯物８ｂの取り扱いが極めて簡単で使い勝手を向上させることができる。
【００４４】
本発明の実施の形態１における別の実施形態の洗浄シーケンスを図７に示す。構成要件は実施の形態１と同様であるので説明は省略する。第１の洗浄室４ａ、及び第２の洗浄室１０ｄに洗濯物８ａ、８ｂを収納し、洗濯行程を開始する。駆動手段１５を動作させて撹拌手段９と内槽４、及び循環手段１６を同時に動作させるようにしている。洗濯物８ａは高濃度洗浄液の化学作用と撹拌手段９で付与される機械力で洗浄が行われる。
【００４５】
また、洗濯物８ｂは循環手段１６により高濃度洗浄液が噴射ノズル１８より分け洗い収納体１０内の洗濯物８ｂを浸透させるように噴霧供給する。同時に内槽４が回転しているため前記高濃度洗浄液は洗濯物８ｂに均等に浸透させることができる。浸透した高濃度洗浄液は内槽４の回転によって生じる遠心力で洗濯物８ｂの内部を通過して汚れを分離することができる。
【００４６】
以上のように、本実施の形態においては、第１の洗浄室４ａと第２の洗浄室１０ｄで同時に洗浄するようにしたことにより、第１の洗浄室４ａの洗濯物８ａは、高濃度洗浄液の作用と撹拌手段９による機械力できつい汚れも洗浄することができる。また、第２の洗浄室１０ｄに収納される軽い汚れの洗濯物８ｂは、高濃度洗浄液の作用と内槽４の正逆回転による機械力が付与され洗濯物８ｂの汚れを落とすことができる。第２の洗浄室１０ｄに収納された洗濯物８ｂは、内槽４の回転と循環手段１６の動作をさせることで、高濃度洗浄液が洗濯物８ｂを通過して洗浄が行われ生地を傷めることがない。
【００４７】
また、別の実施形態の洗浄シーケンスを図８に示す。撹拌手段９と内槽４を交互に動作させるようにしたことにより、第１の洗浄室４ａと第２の洗浄室１０ｄの洗濯物８ａ、８ｂの汚れに応じた洗浄時間をそれぞれ選定することが可能となる。第１の洗浄室４ａの洗濯物８ａの汚れがきつい場合は、前記撹拌手段９の運転による第１の洗浄室４ａの洗浄時間を内槽４の回転時間より長く実行することで、汚れの状態に応じた最適な運転時間を設定することができる。従って、洗濯物８ｂの傷みを極力抑えて洗濯物８ａの洗浄能力を高めることができる。
【００４８】
なお、本実施の形態によれば、洗濯機としているが、洗濯、すすぎ、脱水機能と乾燥機能を有した洗濯乾燥機においても同様の効果を奏することができる。
【産業上の利用可能性】
【００４９】
以上のように、本発明に関わる洗濯機は、きつい汚れと軽い汚れを内槽に着脱自在に配設した分け洗い収容体で分離して洗浄することができるので、汚れに応じた最適な洗浄が可能となり洗浄能力を向上することができる。また、洗浄物を分け洗い収納体に収納したまま取り出しが可能となるので、洗浄、取り出しを必要とする食器洗い乾燥機等への用途にも適用できる。
【図面の簡単な説明】
【００５０】
【図１】本発明の実施の形態１における洗濯機の縦断面図
【図２】同洗濯機の要部平面図
【図３】同洗濯機の要部断面図
【図４】同洗濯機の取り付け体の要部斜視図
【図５】同洗濯機の分け洗い収納体の斜視図
【図６】同洗濯機の洗浄工程のシーケンス図
【図７】同洗濯機の他の洗浄工程のシーケンス図
【図８】同洗濯機の他の洗浄工程のシーケンス図
【図９】従来の洗濯機の縦断面図
【符号の説明】
【００５１】
１  外槽
４  内槽
４ａ  第１の洗浄室
８ａ  洗濯物
８ｂ  洗濯物
９  撹拌手段
１０  分け洗い収納体
１０ｄ  第２の洗浄室
１６  循環手段
【図１】
2006068051.tif 000003
【図２】
2006068051.tif 000004
【図３】
2006068051.tif 000005
【図４】
2006068051.tif 000006
【図５】
2006068051.tif 000007
【図６】
2006068051.tif 000008
【図７】
2006068051.tif 000009
【図８】
2006068051.tif 000010
【図９】
2006068051.tif 000011